(57)【要約】【課題】簡素な構成で、区画された複数の部屋の温度を調整可能な輸送用冷凍装置を提供する。【解決手段】圧縮機１０の吐出側と室外器２０とを第１配管４１が接続し、複数の室内器３１、３２と室外器２０とを複数の第２配管４２が接続し、複数の室内器３１、３２と圧縮機１０の吸入側とを複数の第３配管４３が接続する。複数の加温回路６０は、第１配管４１と複数の第２配管４２とを接続する。複数のヒートポンプ回路７０は、複数の第３配管４３と、第１配管４１とを接続する。複数の絞り機構８０が複数の第２配管４２に設けられ、吐出側バルブ９１が第１配管４１に設けられる。複数の室内器前バルブ９２が複数の第２配管４２に設けられ、複数の吸入側バルブ９３が複数の第３配管４３に設けられる。複数の加温バルブ９４が複数の加温回路６０に設けられ、複数のヒートポンプバルブ９５が複数のヒートポンプ回路７０に設けられる。【選択図】図１
2019203646.tif 000002
【特許請求の範囲】
【請求項１】
区画された複数の部屋の温度を調整する輸送用冷凍装置において、
冷媒を圧縮する圧縮機（１０）と、
外気と冷媒との熱交換を行う室外器（２０）と、
複数の部屋それぞれの庫内空気と冷媒との熱交換を行う複数の室内器（３１、３２）と、
前記圧縮機の吐出側と前記室外器とを接続する第１配管（４１）と、
複数の前記室内器それぞれと前記室外器とを接続する複数の第２配管（４２）と、
複数の前記室内器それぞれと前記圧縮機の吸入側とを接続する複数の第３配管（４３）と、
前記第１配管の途中に設けられた１つまたは複数の第１接続部（５１）と、
複数の前記第２配管それぞれの途中に設けられた複数の第２接続部（５２）と、
複数の前記第３配管それぞれの途中に設けられた複数の第３接続部（５３）と、
前記第１配管の途中で前記第１接続部と前記室外器との間に設けられた１つまたは複数の第４接続部（５４）と、
複数の前記第２接続部それぞれと前記第１接続部とを接続する複数の加温回路（６０）と、
複数の前記第３接続部それぞれと前記第４接続部とを接続する複数のヒートポンプ回路（７０）と、
複数の前記第２配管それぞれの途中で前記室外器と前記第２接続部との間に設けられた複数の絞り機構（８０）と、
前記第１配管のうち前記第１接続部と前記第４接続部との間の冷媒の流れを調整する吐出側バルブ（９１）と、
複数の前記第２配管それぞれの冷媒の流れを調整する室内器前バルブ（９２）と、
複数の前記第３配管それぞれの冷媒の流れを調整する吸入側バルブ（９３）と、
複数の前記加温回路それぞれの冷媒の流れを調整する加温バルブ（９４）と、
複数の前記ヒートポンプ回路それぞれの冷媒の流れを調整するヒートポンプバルブ（９５）と、を備える輸送用冷凍装置。
【請求項２】
複数の部屋に対する温度調整要求に応じて、前記吐出側バルブ、前記室内器前バルブ、前記吸入側バルブおよび前記加温バルブの駆動を制御する制御装置（２）をさらに備え、
前記ヒートポンプバルブは、複数の前記ヒートポンプ回路の冷媒の流れを、前記第３接続部側から前記第４接続部側への一方向に規制する逆止弁である、請求項１に記載の輸送用冷凍装置。
【請求項３】
前記制御装置は、所定の部屋に対して冷凍要求があり、別の部屋に対して加温要求がある場合、前記圧縮機から吐き出された冷媒が、加温要求のある部屋に対応する前記加温回路と、その部屋の前記室内器と、前記ヒートポンプ回路とを経由して前記室外器へ流れた後、冷凍要求のある部屋に対応する前記第２配管とその部屋の前記室内器と前記第３配管とを経由して前記圧縮機に流れるように、前記吐出側バルブ、前記室内器前バルブ、前記吸入側バルブおよび前記加温バルブの駆動を制御する、請求項２に記載の輸送用冷凍装置。
【請求項４】
前記制御装置は、複数の部屋に対して加温要求があり、いずれの部屋にも冷凍要求がない場合、前記圧縮機から吐き出された冷媒が、複数の前記加温回路と、複数の前記室内器と、複数の前記第３配管とを経由して前記圧縮機に流れ、前記室外器に流れないように、前記吐出側バルブ、前記室内器前バルブ、前記吸入側バルブおよび前記加温バルブの駆動を制御する、請求項２または３に記載の輸送用冷凍装置。
【請求項５】
前記制御装置は、所定の部屋に対して冷凍要求があり、別の部屋に対して加温要求がある場合、または、所定の部屋に対して冷凍要求があり、別の部屋に対応する前記室内器に対してホットガス冷媒による除霜要求がある場合、
前記圧縮機から吐き出された冷媒が、加温要求のある部屋の前記室内器に対応する前記加温回路または除霜要求のある前記室内器に対応する前記加温回路と、前記室内器と、前記ヒートポンプ回路とを経由して前記室外器へ流れた後、冷凍要求のある部屋に対応する前記第２配管と、その部屋の前記室内器と、前記第３配管とを経由して前記圧縮機に流れるように、前記吐出側バルブ、前記室内器前バルブ、前記吸入側バルブおよび前記加温バルブの駆動を制御し、
冷凍要求および加温要求がある部屋に対応する前記室内器に送風するファン（３３、３４）を駆動し、
ホットガス冷媒による除霜要求のある前記室内器に送風するファンの駆動を停止する、請求項２に記載の輸送用冷凍装置。
【請求項６】
前記制御装置は、複数の部屋に対して加温要求があり、いずれの部屋にも冷凍要求がない場合、または、複数の部屋に対応する前記室内器に対してホットガス冷媒による除霜要求があり、いずれの部屋にも冷凍要求がない場合、
前記圧縮機から吐き出された冷媒が、加温要求のある部屋の前記室内器に対応する前記加温回路または除霜要求のある前記室内器に対応する前記加温回路と、前記室内器と、前記第３配管とを経由して前記圧縮機に流れ、前記室外器に流れないように、前記吐出側バルブ、前記室内器前バルブ、前記吸入側バルブおよび前記加温バルブの駆動を制御し、
加温要求がある部屋に対応する前記室内器に送風するファンを駆動し、
ホットガス冷媒による除霜要求のある前記室内器に送風するファンの駆動を停止する、請求項２または５に記載の輸送用冷凍装置。
【請求項７】
前記制御装置は、
所定の部屋に対して冷凍要求があり、別の部屋に対して加温要求がある場合、前記圧縮機から吐き出された冷媒が、加温要求のある部屋の前記室内器に対応する前記加温回路と、その部屋の前記室内器と、前記ヒートポンプ回路とを経由して前記室外器へ流れた後、冷凍要求のある部屋に対応する前記第２配管と、その部屋の前記室内器と、前記第３配管とを経由して前記圧縮機に流れるように、前記吐出側バルブ、前記室内器前バルブ、前記吸入側バルブおよび前記加温バルブの駆動を制御し、冷凍要求および加温要求がある部屋に対応する前記室内器に送風するファンを駆動し、
所定の部屋に対して冷凍要求があり、別の部屋に対応する前記室内器に対しオフサイクル方式による除霜要求がある場合、前記圧縮機から吐き出された冷媒が、前記室外器と、冷凍要求のある部屋の前記室内器に対応する前記第２配管と、その部屋の前記室内器と、前記第３配管とを経由して前記圧縮機に流れるように、前記吐出側バルブ、前記室内器前バルブ、前記吸入側バルブおよび前記加温バルブの駆動を制御し、冷凍要求がある部屋に対応する前記室内器に送風するファンと、オフサイクル方式による除霜要求のある前記室内器に送風するファンを駆動する、請求項２に記載の輸送用冷凍装置。
【請求項８】
前記制御装置は、
複数の部屋に対して加温要求があり、いずれの部屋にも冷凍要求がない場合、前記圧縮機から吐き出された冷媒が、複数の前記加温回路と、複数の前記室内器と、複数の前記第３配管とを経由して前記圧縮機に流れ、前記室外器に流れないように、前記吐出側バルブ、前記室内器前バルブ、前記吸入側バルブおよび前記加温バルブの駆動を制御し、加温要求がある部屋に対応する前記室内器に送風するファンを駆動し、
所定の部屋に対して加温要求があり、いずれの部屋にも冷凍要求がなく、別の部屋に対応する前記室内器に対しオフサイクル方式による除霜要求がある場合、前記圧縮機から吐き出された冷媒が、加温要求のある部屋の前記室内器に対応する前記加温回路と、その部屋の前記室内器と、前記第３配管とを経由して前記圧縮機に流れ、除霜要求がある前記室内器および前記室外器に流れないように、前記吐出側バルブ、前記室内器前バルブ、前記吸入側バルブおよび前記加温バルブの駆動を制御し、加温要求がある部屋に対応する前記室内器に送風するファンと、オフサイクル方式による除霜要求のある前記室内器に送風するファンを駆動する、請求項２または７に記載の輸送用冷凍装置。
【請求項９】
前記制御装置は、所定の部屋と別の部屋に対する要求が変わり、運転モードが変移し各バルブの開閉状態が変化する場合、前記制御装置が駆動する複数の複数のバルブのうち、閉状態から開状態となるバルブを、開状態から閉状態となるバルブよりも先に動作させる、請求項２ないし８のいずれか１つに記載の輸送用冷凍装置。
【請求項１０】
前記制御装置は、所定の部屋に対する冷凍要求と別の部屋に対する加温要求の両方があり、かつ、冷凍要求のある部屋に対する前記室内器の冷凍能力に対し、加温要求のある部屋に対する前記室内器の加温能力が不足していると判定される場合、前記室外器に送風するファン（２１）の駆動を停止する、請求項２ないし９のいずれか１つに記載の輸送用冷凍装置。
【請求項１１】
前記制御装置は、所定の部屋に対する冷凍要求と別の部屋に対する加温要求の両方があり、かつサイクルの冷媒圧力が所定の値以上になった場合、前記室外器に送風するファン（２１）を駆動する、請求項２ないし９のいずれか１つに記載の輸送用冷凍装置。
【請求項１２】
前記制御装置は、所定の部屋に対する冷凍要求と別の部屋に対する加温要求の両方があり、かつ前記室外器の入口の冷媒温度が外気温度よりも低い場合、前記室外器に送風するファン（２１）の駆動を停止する、請求項２ないし９のいずれか１つに記載の輸送用冷凍装置。
【請求項１３】
前記室外器は、冷媒が流入する入口側タンク、冷媒が流出する出口側タンク、前記入口側タンクと前記出口側タンクとを連通する複数のチューブ、および、複数の前記チューブ同士の間に設けられる複数のフィンを備えるマルチフロータイプの熱交換器であり、
前記輸送用冷凍装置は、前記室外器を蒸発器として用いないように構成されている、請求項１ないし１２のいずれか１つに記載の輸送用冷凍装置。
【発明の詳細な説明】
【技術分野】
【０００１】
本発明は、輸送用冷凍装置に関するものである。
【背景技術】
【０００２】
従来、車両等の輸送機に搭載され、区画された複数の部屋の庫内温度をそれぞれ異なる温度帯で制御することの可能な輸送用冷凍装置が知られている。
【０００３】
特許文献１に記載の輸送用冷凍装置は、圧縮機の吐出側と複数の熱交換器の一端側とをそれぞれ高圧配管で接続し、圧縮機の吸入側と複数の熱交換器の一端側とをそれぞれ低圧配管で接続している。また、複数の熱交換器の他端からそれぞれ延びる絞り配管を高圧液ポートで合流させている。複数の絞り配管にはそれぞれ膨張弁が設けられ、複数の高圧配管と複数の低圧配管にはそれぞれ冷媒の流れを調整するバルブが設けられている。また、絞り配管には、膨張弁を冷媒が迂回するためのバイパス回路が設けられ、そのバイパス回路には逆止弁が設けられている。なお、複数の熱交換器のうち、１つが室外器であり、２つが室内器である。
【０００４】
この特許文献１に記載の輸送用冷凍装置は、所定の部屋の冷却と別の部屋の加温を行う場合、圧縮機→加温要求のある部屋に対応する高圧配管→その部屋の室内器→バイパス配管→高圧液ポート→冷凍要求のある部屋に対応する絞り配管→膨張弁→その部屋の室内器→低圧配管→圧縮機の順に冷媒を流すことで実現している。
【０００５】
また、特許文献１に記載の輸送用冷凍装置は、複数の部屋の加温を行う場合、圧縮機→複数の部屋に対応する複数の高圧配管→複数の室内器→バイパス配管→高圧液ポート→室外器に対応する絞り配管→膨張弁→室外器→低圧配管→圧縮機の順に冷媒を流すことで実現している。
【先行技術文献】
【特許文献】
【０００６】
【特許文献１】特許第５５３５５１０号公報
【発明の概要】
【発明が解決しようとする課題】
【０００７】
しかしながら、特許文献１に記載の輸送用冷凍装置は、バイパス配管、逆止弁、膨張弁、バルブ、配管接続部などの部品点数が多く、構成が複雑なものとなっている。そのため、この輸送用冷凍装置は、製造コストが増加し、且つ、架装性が悪化するおそれがある。
【０００８】
また、この輸送用冷凍装置が備える室外器には、マルチフロータイプの熱交換器が採用されている。一般に、マルチフロータイプの熱交換器は、冬季などに除霜運転で発生した除霜水をフィン同士の間に保水しやすい構造となっている。そして、特許文献１に記載の輸送用冷凍装置は、複数の部屋の加温を行う場合、室外器を蒸発器（すなわち吸熱器）として使用している。そのため、この輸送用冷凍装置では、複数の部屋の加温を行う場合、除霜を経て室外器のフィン同士の間に保水された除霜水が再氷結してしまい、複数の部屋の加温が困難になるといった問題がある。
【０００９】
なお、フィン同士の間の保水を防ぐため、室外器をプレートフィンタイプの熱交換器に変更することが考えられる。しかし、仮に、室外器をプレートフィンタイプの熱交換器に変更した場合、マルチフロータイプの熱交換器と同等の能力を確保するには、室外器の体格が大型化し、重量も増加するといった問題が生じる。
【００１０】
本発明は上記点に鑑みて、部品点数の少ない簡素な構成で、区画された複数の部屋の温度を調整可能な輸送用冷凍装置を提供することを目的とする。
【課題を解決するための手段】
【００１１】
上記目的を達成するため、請求項１に係る発明は、
区画された複数の部屋の温度を調整する輸送用冷凍装置において、
冷媒を圧縮する圧縮機（１０）と、
外気と冷媒との熱交換を行う室外器（２０）と、
複数の部屋それぞれの庫内空気と冷媒との熱交換を行う複数の室内器（３１、３２）と、
圧縮機の吐出側と室外器とを接続する第１配管（４１）と、
複数の室内器それぞれと室外器とを接続する複数の第２配管（４２）と、
複数の室内器それぞれと圧縮機の吸入側とを接続する複数の第３配管（４３）と、
第１配管の途中に設けられた１つまたは複数の第１接続部（５１）と、
複数の第２配管それぞれの途中に設けられた複数の第２接続部（５２）と、
複数の第３配管それぞれの途中に設けられた複数の第３接続部（５３）と、
第１配管の途中で第１接続部と室外器との間に設けられた１つまたは複数の第４接続部（５４）と、
複数の第２接続部それぞれと第１接続部とを接続する複数の加温回路（６０）と、
複数の第３接続部それぞれと第４接続部とを接続する複数のヒートポンプ回路（７０）と、
複数の第２配管それぞれの途中で室外器と第２接続部との間に設けられた複数の絞り機構（８０）と、
第１配管のうち第１接続部と第４接続部との間の冷媒の流れを調整する吐出側バルブ（９１）と、
複数の第２配管それぞれの冷媒の流れを調整する室内器前バルブ（９２）と、
複数の第３配管それぞれの冷媒の流れを調整する吸入側バルブ（９３）と、
複数の加温回路それぞれの冷媒の流れを調整する加温バルブ（９４）と、
複数のヒートポンプ回路それぞれの冷媒の流れを調整するヒートポンプバルブ（９５）と、を備える。
【００１２】
これによれば、この輸送用冷凍装置は、所定の部屋の冷却と別の部屋の加温を行う場合、圧縮機→加温要求のある部屋に対応する加温回路→その部屋の室内器→ヒートポンプ回路→室外器→冷凍要求のある部屋に対応する第２配管→絞り機構→その部屋の室内器→第３配管→圧縮機の順に冷媒を流すことで実現できる。また、この輸送用冷凍装置は、複数の部屋の加温を行う場合、圧縮機→複数の部屋の室内器に対応する加温回路→複数の室内器→第３配管→圧縮機の順に冷媒を流すことで実現できる。
【００１３】
そのため、この輸送用冷凍装置は、特許文献１に記載の冷媒回路が備えるバイパス配管や、そのバイパス配管に設けられた逆止弁を必要としない。また、この輸送用冷凍装置は、複数の部屋の加温を行う場合を含むいずれの場合にも、室外器を蒸発器（すなわち吸熱器）として使用しないので、特許文献１に記載の冷媒回路が備えているような室外器に流入する冷媒を減圧膨張させる膨張弁を必要としない。したがって、この輸送用冷凍装置は、部品点数の少ない簡素な構成で、区画された複数の部屋の温度を調整することが可能である。その結果、この輸送用冷凍装置は、製造コストを低減し、且つ、架装性を向上することができる。
【００１４】
さらに、この輸送用冷凍装置は、複数の部屋の加温を行う場合を含むいずれの場合にも、室外器を蒸発器（すなわち吸熱器）として使用しないので、室外器にマルチフロータイプを使用した場合でも、フィン同士の間に保水された除霜水が再氷結することが無い。そのため、この輸送用冷凍装置は、室外器にフィンの間隔が狭いマルチフロータイプを使用することが可能であるので、室外器の体格を小型化すると共に、放熱器としての能力を向上することが可能である。したがって、この輸送用冷凍装置は、室外器の放熱性の向上により、冷凍モードの際の室内器の冷凍能力を高めることができる。
【００１５】
なお、各構成要素等に付された括弧付きの参照符号は、その構成要素等と後述する実施形態に記載の具体的な構成要素等との対応関係の一例を示すものである。
【図面の簡単な説明】
【００１６】
【図１】第１実施形態に係る輸送用冷凍装置の冷媒回路の構成図である。
【図２】前室と後室が冷凍モードの場合の冷媒の流れを示す説明図である。
【図３】前室が冷凍モードで後室が加温モードの場合の冷媒の流れを示す説明図である。
【図４】前室が加温モードで後室が冷凍モードの場合の冷媒の流れを示す説明図である。
【図５】前室と後室が加温モードの場合の冷媒の流れを説明する説明図である。
【図６】前室が冷凍モードで後室が停止モードの場合の冷媒の流れを示す説明図である。
【図７】前室が加温モードで後室が停止モードの場合の冷媒の流れを示す説明図である。
【図８】輸送用冷凍装置の各モードの基本作動表である。
【図９】輸送用冷凍装置のホットガス除霜を含む各モードの基本作動表である。
【図１０】輸送用冷凍装置のオフサイクル除霜を含む各モードの基本作動表である。
【図１１】比較例における輸送用冷凍装置の冷媒回路の構成図である。
【図１２】第２実施形態に係る輸送用冷凍装置の冷媒回路の構成図である。
【発明を実施するための形態】
【００１７】
以下、本発明の第１実施形態について図面を参照しつつ説明する。
【００１８】
本実施形態の輸送用冷凍装置１は、車両等の輸送機に搭載される。輸送用冷凍装置１は、図示しない輸送機の荷台に区画された複数の部屋の庫内温度をそれぞれ異なる温度帯で制御することが可能である。以下の説明では、輸送用冷凍装置１が温度制御を行う複数の部屋のうち、所定の部屋を前室と呼び、別の部屋を後室と呼ぶこととする。
【００１９】
まず、輸送用冷凍装置１の構成について説明する。図１に示すように、輸送用冷凍装置１は、圧縮機１０、室外器２０、複数の室内器３１、３２、第１〜第３配管４１〜４３、第１〜第４接続部５１〜５４、加温回路６０、ヒートポンプ回路７０、絞り機構８０、バルブ９１〜９５および制御装置２などを備えている。なお、図に記載した参照符号において、数値の末尾に付したａ〜ｄは、その参照符号（すなわち数値）で示す部材の一部または関連部材であることを示すものである。
【００２０】
圧縮機１０は、吸入口１１側の冷媒配管から吸入した冷媒を圧縮し、吐出口１２側の冷媒配管に吐き出す。圧縮機１０は、図示しないエンジンまたは電動機の動力により駆動される。圧縮機１０として、固定容量型または可変容量型のいずれも適用可能である。
【００２１】
圧縮機１０と室外器２０とを第１配管４１が接続している。なお、第１配管４１は、単一の配管に限らず、複数の配管で構成されていてもよい。すなわち、第１配管４１を構成する複数の配管の途中に接続部やバルブなどが設けられていてもよい。なお、このことは、後述する第２配管４２、第３配管４３、加温回路６０およびヒートポンプ回路７０についても同様である。
【００２２】
室外器２０は、外気と冷媒との熱交換を行う熱交換器である。図示していないが、室外器２０は、冷媒が流入する入口側タンク、冷媒が流出する出口側タンク、その入口側タンクと出口側タンクとを連通する複数のチューブ、および、複数のチューブ同士の間に設けられる複数のフィンを備えるマルチフロータイプの熱交換器である。なお、マルチフロータイプは、パラレルフロータイプと呼ばれることもある。
【００２３】
マルチフロータイプの室外器２０が備える複数のチューブは、内部に複数の冷媒流路を有している。そのチューブ内の冷媒流路は、アルミ材等によりチューブと一体に成形されるものであってもよく、チューブの内側にインナーフィンを設けることで形成されるものであってもよい。本実施形態では、室外器２０は、冷媒の熱を外気に放熱させて冷媒を凝縮させる凝縮器として使用されるものであり、蒸発器として使用されることはない。
【００２４】
室外器２０には、その室外器２０に対して外気を送風するための室外器用ファン２１が設けられている。
【００２５】
複数の室内器３１、３２それぞれと室外器２０とを複数の第２配管４２が接続している。なお、第２配管４２は、その途中に分岐部４２ｄを有している。そのため、第２配管４２は、室外器２０と分岐部４２ｄとの間が１本の配管４２ｃで構成され、分岐部４２ｄと複数の室内器３１、３２との間が複数の配管４２ａ、４２ｂで構成されている。なお、以下の説明では、第２配管４２に関し、参照符号のうち４２ｃ、４２ｄを省略する。
【００２６】
第２配管４２のうち室外器２０と分岐部４２ｄとの間には、レシーバ２２が設けられている。レシーバ２２は、室外器２０から流出した冷媒をレシーバ２２内で気液分離して一旦貯え、液相冷媒のみを室内器３１、３２側へ送り出すものである。
【００２７】
複数の室内器３１、３２は、複数の部屋それぞれの庫内空気と冷媒との熱交換を行う熱交換器である。以下の説明では、複数の室内器３１、３２のうち、前室の庫内空気と冷媒との熱交換を行う室内器を前室用室内器３１と呼び、後室の庫内空気と冷媒との熱交換を行う室内器を後室用室内器３２と呼ぶこととする。前室用室内器３１には、その前室用室内器３１に対して前室の庫内空気を送風するための前室用ファン３３が設けられている。後室用室内器３２にも、その後室用室内器３２に対して後室の庫内空気を送風するための後室用ファン３４が設けられている。
【００２８】
複数の室内器３１、３２それぞれと圧縮機１０の吸入口１１側とを複数の第３配管４３が接続している。なお、第３配管４３は、その途中に分岐部４３ｄを有している。そのため、第３配管４３は、複数の室内器３１、３２と分岐部４３ｄとの間が複数の配管４３ａ、４３ｂで構成され、分岐部４３ｄと圧縮機１０との間が１本の配管４３ｃで構成されている。なお、以下の説明では、第３配管４３に関し、参照符号のうち４３ｃ、４３ｄを省略する。
【００２９】
第３配管４３のうち分岐部４３ｄと圧縮機１０との間には、アキュームレータ１３が設けられている。アキュームレータ１３は、室内器３１、３２から流出した冷媒をアキュームレータ１３内で気液分離して一旦貯え、気相冷媒のみを圧縮機１０側へ送り出すものである。
【００３０】
第１配管４１の途中に第１接続部５１が設けられている。また、複数の第２配管４２ａ、４２ｂそれぞれの途中に複数の第２接続部５２ａ、５２ｂが設けられている。複数の加温回路６０ａ、６０ｂは、第２接続部５２ａ、５２ｂそれぞれと、第１接続部５１とを接続している。なお、加温回路６０は、その途中に分岐部６０ｄを有している。そのため、加温回路６０は、第２接続部５２ａ、５２ｂと分岐部６０ｄとの間が複数の配管６０ａ、６０ｂで構成され、分岐部６０ｄと第１接続部５１との間が１本の配管６０ｃで構成されている。なお、以下の説明では、加温回路６０に関し、参照符号のうち６０ｃ、６０ｄを省略する。
【００３１】
複数の第３配管４３ａ、４３ｂそれぞれの途中に複数の第３接続部５３ａ、５３ｂが設けられている。また、第１配管４１の途中で第１接続部５１と室外器２０との間に第４接続部５４が設けられている。複数のヒートポンプ回路７０は、複数の第３接続部５３ａ、５３ｂそれぞれと、第４接続部５４とを接続している。なお、ヒートポンプ回路７０は、その途中に分岐部７０ｄを有している。そのため、ヒートポンプ回路７０は、複数の第３接続部５３ａ、５３ｂと分岐部７０ｄとの間が複数の配管７０ａ、７０ｂで構成され、分岐部７０ｄと第４接続部５４との間が１本の配管７０ｃで構成されている。なお、以下の説明では、ヒートポンプ回路７０に関し、参照符号のうち７０ｃ、７０ｄを省略する。
【００３２】
複数の第２配管４２ａ、４２ｂそれぞれの途中で、室外器２０と第２接続部５２ａ、５２ｂとの間に、複数の絞り機構８０ａ、８０ｂが設けられている。絞り機構８０ａ、８０ｂは、流路面積を調整して冷媒を減圧膨張させる膨張弁、または、例えばオリフィスまたはキャピラリチューブ等の固定絞りなどにより構成される。本実施形態では、絞り機構８０ａ、８０ｂとして、温度式膨張弁を採用している。温度式膨張弁は、室内器３１、３２の出口側を流れる冷媒の過熱度に応じて、流路面積が自動調整されるものである。なお、絞り機構８０ａ、８０ｂとして、電子膨張弁を採用してもよい。
【００３３】
冷媒回路には、複数のバルブ９１〜９５が設けられている。その複数のバルブ９１〜９５は、冷媒の流れを調整する冷媒調整弁であり、吐出側バルブ９１、複数の室内器前バルブ９２ａ、９２ｂ、複数の吸入側バルブ９３ａ、９３ｂ、複数の加温バルブ９４ａ、９４ｂ、複数のヒートポンプバルブ９５ａ、９５ｂなどを含んでいる。
【００３４】
吐出側バルブ９１は、第１配管４１のうち第１接続部５１と第４接続部５４との間に設けられている。複数の室内器前バルブ９２ａ、９２ｂはそれぞれ、複数の第２配管４２ａ、４２ｂに設けられている。複数の吸入側バルブ９３ａ、９３ｂはそれぞれ、複数の第３配管４３ａ、４３ｂに設けられている。複数の加温バルブ９４ａ、９４ｂはそれぞれ、複数の加温回路６０ａ、６０ｂに設けられている。吐出側バルブ９１、複数の室内器前バルブ９２ａ、９２ｂ、複数の吸入側バルブ９３ａ、９３ｂおよび複数の加温バルブ９４ａ、９４ｂはいずれも、流路を開放および閉塞するための開閉弁であり、電磁弁により構成されている。
【００３５】
なお、複数の吸入側バルブ９３ａ、９３ｂを三方弁で構成し、第３接続部５３ａ、５３ｂに配置してもよい。
【００３６】
ヒートポンプバルブ９５ａ、９５ｂはそれぞれ、複数のヒートポンプ回路７０ａ、７０ｂに設けられている。ヒートポンプバルブ９５ａ、９５ｂは、複数のヒートポンプ回路７０ａ、７０ｂそれぞれの冷媒の流れを、第３接続部５３ａ、５３ｂ側から第４接続部５４側への一方向に規制する逆止弁（すなわち、一方向弁）である。ヒートポンプバルブ９５ａ、９５ｂを逆止弁とすることで、冷媒回路の構成をより簡素なものとすると共に、制御装置２が実行する制御処理を簡素なものとすることが可能である。
【００３７】
制御装置２は、複数の部屋に対する温度調整要求などに応じて、上述した冷媒回路の各構成の駆動を制御する。具体的には、制御装置２は、吐出側バルブ９１、室内器前バルブ９２ａ、９２ｂ、吸入側バルブ９３ａ、９３ｂおよび加温バルブ９４ａ、９４ｂの駆動を制御する。また、制御装置２は、室外器用ファン２１、前室用ファン３３および後室用ファン３４の駆動を制御する。
【００３８】
次に、輸送用冷凍装置１の作動について説明する。
【００３９】
図８は、輸送用冷凍装置１の各モードの基本作動表である。図８の表において、〇は制御装置２がバルブ９１〜９４を開状態に制御することを示し、×は制御装置２がバルブ９１〜９４を閉状態に制御することを示している。なお、このことは、図９および図１０の表についても同様である。
【００４０】
（冷凍×冷凍モード）
前室および後室がいずれも冷凍モードの場合について説明する。図８の運転状態１に示すように、前室および後室に対して冷凍要求がある場合、制御装置２は、吐出側バルブ９１、前室と後室の室内器前バルブ９２ａ、９２ｂ、および前室と後室の吸入側バルブ９３ａ、９３ｂを開弁し、前室と後室の加温バルブ９４ａ、９４ｂを閉弁する。また、制御装置２は、前室用ファン３３および後室用ファン３４を駆動する。
【００４１】
図２は、その場合の冷媒の流れを示している。図２では、冷媒が流れる配管を実線で示し、それ以外の配管を破線で示している。また、冷媒が配管内を流れる方向を矢印で示している。なお、このことは、図３〜図７についても同様である。
【００４２】
図２に示すように、前室および後室がいずれも冷凍モードの場合、圧縮機１０から吐き出された冷媒は、第１配管４１、室外器２０、複数の第２配管４２ａ、４２ｂ、複数の絞り機構８０ａ、８０ｂ、複数の室内器３１、３２、複数の第３配管４３ａ、４３ｂおよび圧縮機１０の順に冷媒回路を循環する。そのため、圧縮機１０から吐き出された高温高圧の冷媒は、室外器２０で冷却されて凝縮した後、複数の絞り機構８０ａ、８０ｂで減圧膨張され、複数の室内器３１、３２で複数の部屋の庫内空気から吸熱して蒸発し、再び圧縮機１０に吸入される。これにより、複数の部屋の庫内空気が冷却される。
【００４３】
（冷凍×加温モード）
前室が冷凍モードで、後室が加温モードの場合について説明する。図８の運転状態２に示すように、前室に対して冷凍要求があり、後室に対して加温要求がある場合、制御装置２は、後室の加温バルブ９４ｂ、前室の室内器前バルブ９２ａ、および前室の吸入側バルブ９３ａを開弁し、吐出側バルブ９１、前室の加温バルブ９４ａ、後室の室内器前バルブ９２ｂ、および後室の吸入側バルブ９３ｂを閉弁する。また、制御装置２は、前室用ファン３３および後室用ファン３４を駆動する。
【００４４】
図３に示すように、前室が冷凍モードで、後室が加温モードの場合、圧縮機１０から吐き出された冷媒は、第１配管４１の第１接続部５１から後室用室内器３２に通じる加温回路６０ｂ、第２配管４２ｂの第２接続部５２ｂを介して後室用室内器３２に流れる。そして、第３配管４３の第３接続部５３ｂから後室用室内器３２に通じるヒートポンプ回路７０ｂ、第１配管４１の第４接続部５４を介して室外器２０に流れた後、前室用室内器３１に通じる第２配管４２ａに設けられた絞り機構８０ａを経由し、前室用室内器３１に流れる。その後、前室用室内器３１に通じる第３配管４３ａから圧縮機１０に吸入され、冷媒回路を循環する。
【００４５】
そのため、圧縮機１０から吐き出された高温高圧の冷媒は、後室用室内器３２で後室の庫内空気に放熱して凝縮し、さらに室外器２０でも庫外空気に放熱して凝縮される。そして、その冷媒は、前室用室内器３１に通じる第２配管４２ａに設けられた絞り機構８０ａで減圧膨張され、前室用室内器３１で前室の庫内空気から吸熱して蒸発し、再び圧縮機１０に吸入される。これにより、前室の庫内空気が冷却され、後室の庫内空気が加熱される。
【００４６】
なお、図８の運転状態３は、前室が加温モードで、後室が冷凍モードの場合の各バルブ等の制御を示している。また、図４は、そのときの冷媒の流れを示している。この運転状態３は、上述した運転状態２に対し、前室と後室のモードが入れ替わっているのみであるので、説明を省略する。
【００４７】
このように、本実施形態の輸送用冷凍装置１は、一方の部屋が冷凍モードで、他方の部屋が加温モードの場合、一方の部屋の庫内空気の熱を他方の部屋に移動する、いわゆる室間でのヒートポンプを行うことが可能である。さらに、本実施形態の輸送用冷凍装置１は、その室間でのヒートポンプを行う際、室外器２０で放熱するため、凝縮圧力が低下し、絞り機構８０ａ、８０ｂ前のエンタルピが低下するので、冷凍モードの室内器３１、３２の冷却能力を高めることができる。
【００４８】
ただし、冷凍要求のある部屋の室内器の冷凍能力に対し、加温要求のある部屋の室内器の加温能力が不足している場合、室外器２０で冷媒を放熱させないことが好ましい。そのため、制御装置２は、冷凍要求のある部屋の室内器の冷凍能力に対し、加温要求のある部屋の室内器の加温能力が不足していると判定される場合、室外器２０に送風するファンの駆動を停止する。
【００４９】
ここで、室間でのヒートポンプ時に、制御装置２が放熱量の過不足を判定する方法について説明する。なお、この説明では、各数値との混同を避けるため、各構成の参照符号を省略する。
【００５０】
第１の方法として、制御装置は、室外器用ファンの駆動時に、前室の設定温度と庫内温度との差ΔＴｆの時間変化、および、後室の設定温度と庫内温度との差ΔＴｒの時間変化を確認する。そして、制御装置は、加温モードの部屋の庫内温度よりも、冷凍モードの部屋の庫内温度の方が先に設定温度に到達すると判断した場合、加熱モードの部屋の室内器が放熱量不足であると判定する。この場合、制御装置は、室外器用ファンの駆動を停止する。
【００５１】
一方、制御装置は、室外器用ファンの停止時にも、前室の設定温度と庫内温度との差ΔＴｆの時間変化、および、後室の設定温度と庫内温度との差ΔＴｒの時間変化を確認する。そして、制御装置は、冷凍モードの部屋の庫内温度よりも、加温モードの部屋の庫内温度の方が先に設定温度に到達すると判断した場合、加熱モードの部屋の室内器が放熱量過剰であると判定する。この場合、制御装置は、室外器用ファンを駆動する。
【００５２】
第２の方法として、制御装置は、室外器用ファンの駆動時の冷凍ＣＯＰ（Coefficient Of Performance）と、室外器用ファンの停止時の冷凍ＣＯＰを予め求めておき、熱バランスからファンの駆動または停止を決定してもよい。なお、冷凍ＣＯＰ＝冷凍モードの室内器（すなわち蒸発器）の吸熱量／圧縮機の動力  である。
【００５３】
例えば、仮に、室外器用ファンの停止時、圧縮機の動力が１．０ｋＷ、冷凍モードの室内器（すなわち蒸発器）の吸熱量が２．０ｋＷ（すなわち、冷凍ＣＯＰ２．０）の場合、熱バランスから、加温モードの室内器の放熱量は３．０ｋＷとなる。
【００５４】
その場合、前室および後室それぞれの設定温度と庫内温度との差ΔＴｆ（冷凍設定）、ΔＴｒ（加温設定）を考えた時に、ΔＴｆ＞ΔＴｒ×２／３  であれば、冷凍能力が不足している、即ち、加温能力が余剰であると判断し、室外器用ファンを駆動する。
【００５５】
これに対し、ΔＴｆ≦ΔＴｒ×２／３  であれば、加温能力が不足していると判断し、室外器用ファンの停止を維持する。
【００５６】
尚、上記の式において、２／３の部分は、ＣＯＰ／（１＋ＣＯＰ）としたものである。
【００５７】
また、仮に、室外器用ファンの駆動時、圧縮機の動力が１．０ｋＷ、冷凍モードの室内器の吸熱量が２．０ｋＷ（すなわち、冷凍ＣＯＰ２．０）、加温モードの室内器の放熱量と室外器の放熱量との和が３．０ｋＷの場合、加温モードの室内器の放熱性能と室外器の放熱性能の比が１：１すれば、加温モードの室内器の放熱量が１．５ｋＷ、室外器の放熱量が１．５ｋＷとなる。
【００５８】
その場合、前室および後室それぞれの設定温度と庫内温度との差ΔＴｆ（チルド設定）、ΔＴｒ（米飯設定）を考えた時に、ΔＴｆ＞ΔＴｒ×２／１．５  であれば、冷凍能力が不足している、即ち、加温能力が余剰であると判断し、室外器用ファンの駆動を維持する。
【００５９】
これに対し、ΔＴｆ≦ΔＴｒ×２／１．５  であれば、加温能力が不足していると判断し、室外器用ファンを停止する。
【００６０】
ただし、熱のバランスが室外器用ファンの駆動と停止との間にある場合は、室外器用ファンの駆動と停止を繰り返すことになるので、初期状態をどちらかに決めておくことが好ましい。
【００６１】
以上、制御装置２が放熱量の過不足を判定する方法について説明した。ところで、制御装置２は、電力消費量の低減などのために、室外器用ファン２１を停止しているときもある。そのようなとき、サイクルの冷媒圧力が所定の値以上になった場合、室外器用ファン２１を駆動するようにしてもよい。これによれば、室外器用ファン２１が停止している状態でサイクルの冷媒圧力が上昇した場合、室外器用ファン２１を作動させることで、その冷媒圧力を下げることができる。
【００６２】
また、制御装置２は、前室に対する冷凍要求と後室に対する加温要求があり、かつ室外器２０の入口の冷媒温度が外気温度よりも低い場合、室外器用ファン２１の駆動を停止する制御を行ってもよい。これによれば、加温要求のある部屋の温度が低い場合、その加温要求のある部屋の室内器３２の出口の冷媒温度（すなわち、室外器２０の入口の冷媒温度)が外気温度より低くなりことがある。その場合、仮に、室外器用ファン２１を駆動すると、室外器２０で冷媒が外気から吸熱してしまうことになり、冷凍要求のある前室の室内器３１の能力が低下してしまう。そこで、そのような場合、制御装置２は、室外器用ファン２１の駆動を停止することで、室外器２０で冷媒が外気から吸熱することを抑制し、冷凍要求のある前室の室内器３１の冷凍能力低下を抑制することが可能である。
【００６３】
（加温×加温モード）
前室および後室がいずれも加温モードの場合について説明する。図８の運転状態４に示すように、前室および後室に対して加温要求がある場合、制御装置２は、吐出側バルブ９１、前室と後室の加温バルブ９４ａ、９４ｂ、および前室と後室の吸入側バルブ９３ａ、９３ｂを開弁し、前室と後室の室内器前バルブ９２ａ、９２ｂを閉弁する。また、制御装置２は、前室用ファン３３および後室用ファン３４を駆動する。
【００６４】
図５に示すように、前室および後室がいずれも加温モードの場合、圧縮機１０から吐き出された冷媒は、第１配管４１の第１接続部５１から複数の加温回路６０ａ、６０ｂ、複数の第２配管４２ａ、４２ｂの第２接続部５２ａ、５２ｂを介して複数の室内器３１、３２、複数の第３配管４３ａ、４３ｂおよび圧縮機１０の順に冷媒回路を循環する。そのため、圧縮機１０から吐き出された高温高圧の冷媒は、複数の室内器３１、３２で放熱し、再び圧縮機１０に吸入される。これにより、前室と後室の庫内空気が加温される。なお、圧縮機１０から吐き出された冷媒は、冷媒回路を気体の状態で流れ、再び圧縮機１０に吸入される。
【００６５】
輸送用冷凍装置１は、複数の部屋の加温を行う場合を含むいずれの場合にも、室外器２０を蒸発器（すなわち吸熱器）として使用しないので、室外器２０にマルチフロータイプを使用した場合でも、除霜を経てフィン同士の間に保水された除霜水が再氷結することを防ぐことができる。換言すれば、この輸送用冷凍装置１は、室外器２０にマルチフロータイプを使用することが可能であるので、室外器２０の体格を小型化すると共に、放熱器としての能力を向上することが可能である。したがって、この輸送用冷凍装置１は、室外器２０の放熱性の向上により、冷凍モードの際の室内器３１、３２の冷凍能力を高めることができる。
【００６６】
（冷凍×停止モード）
前室が冷凍モードで、後室が停止モードの場合について説明する。なお、本明細書において、停止とは、サーモオフのことをいう。前室が冷凍モードで、後室が停止モードの場合、図８の運転状態５に示すように、制御装置２は、吐出側バルブ９１、前室の室内器前バルブ９２ａ、および前室と後室の吸入側バルブ９３ａ、９３ｂを開弁し、前室と後室の加温バルブ９４ａ、９４ｂ、および後室の室内器前バルブ９２ｂを閉弁する。また、制御装置２は、前室用ファン３３を駆動し、後室用ファン３４を停止する。
【００６７】
図６に示すように、前室が冷凍モードで、後室が停止モードの場合、圧縮機１０から吐き出された冷媒は、第１配管４１、室外器２０、前室用室内器３１に通じる第２配管４２ａ、絞り機構８０ａ、前室用室内器３１、前室用室内器３１に通じる第３配管４３ａおよび圧縮機１０の順に冷媒回路を循環する。これにより、前室の庫内空気のみが冷却される。
【００６８】
なお、図８の運転状態６は、前室が停止モードで、後室が冷凍モードの場合の各バルブ等の制御を示している。この運転状態６は、上述した運転状態５に対し、前室と後室のモードが入れ替わっているのみであるので、説明を省略する。
【００６９】
（加温×停止モード）
前室が加温モードで、後室が停止モードの場合について説明する。その場合、図８の運転状態７に示すように、制御装置２は、吐出側バルブ９１、前室の加温バルブ９４ａ、および前室と後室の吸入側バルブ９３ａ、９３ｂを開弁し、後室の加温バルブ９４ｂ、および前室と後室の室内器前バルブ９２ａ、９２ｂを閉弁する。また、制御装置２は、前室用ファン３３を駆動し、後室用ファン３４を停止する。
【００７０】
図７に示すように、前室が加温モードで、後室が停止モードの場合、圧縮機１０から吐き出された冷媒は、第１配管４１、前室用室内器３１に通じる第２配管４２ａ、前室用室内器３１、前室用室内器３１に通じる第３配管４３ａおよび圧縮機１０の順に冷媒回路を循環する。これにより、前室の庫内空気のみが加温される。
【００７１】
なお、図８の運転状態８は、前室が停止モードで、後室が加温モードの場合の各バルブ等の制御を示している。この運転状態８は、上述した運転状態７に対し、前室と後室のモードが入れ替わっているのみであるので、説明を省略する。
【００７２】
続いて、輸送用冷凍装置１のホットガス除霜モードを含めた作動について説明する。図９は、輸送用冷凍装置１のホットガス除霜モードを含む各モードの基本作動表である。なお、ホットガス除霜モードとは、熱交換器のファンを停止した状態で、その熱交換器に高温高圧のガス冷媒を流して除霜を行うモードである。
【００７３】
（冷凍×ホットガス除霜モード）
前室が冷凍モードで、後室がホットガス除霜モードの場合について説明する。この場合、制御装置２は、図９の運転状態９に示すように、各バルブの開閉を制御する。図９の運転状態９に示すバルブの制御は、図８の運転状態２で示した、前室が冷凍モードで、後室が加温モードの場合の各バルブの制御と同一である。また、制御装置２は、前室が冷凍モードで、後室がホットガス除霜モードの場合、前室用ファン３３を駆動し、後室用ファン３４を停止する。なお、その場合、冷媒回路を循環する冷媒の流れは、図３に示したものと同一である。
【００７４】
このように、本実施形態の輸送用冷凍装置１は、室内器３１、３２に対しホットガス冷媒による除霜要求がある場合、加温要求がある場合と同様に冷媒を流し、室内器３１、３２に送風するファン３３、３４の駆動を停止することで、室内器３１、３２のホットガス除霜を行うことが可能である。
【００７５】
なお、図９の運転状態１０は、前室がホットガス除霜モードで、後室が冷凍モードの場合の各バルブ等の制御を示している。この運転状態１０は、上述した運転状態９に対し、前室と後室のモードが入れ替わっているのみであるので、説明を省略する。
【００７６】
（加温×ホットガス除霜モード）
前室が加温モードで、後室がホットガス除霜モードの場合について説明する。この場合、制御装置２は、図９の運転状態１１に示すように、各バルブの開閉を制御する。図９の運転状態１１に示すバルブの制御は、図８の運転状態４で示した、前室および後室がいずれも加温モードの場合の各バルブの制御と同一である。また、制御装置２は、前室が加温モードで、後室がホットガス除霜モードの場合、前室用ファン３３を駆動し、後室用ファン３４を停止する。なお、その場合、冷媒回路を循環する冷媒の流れは、図５に示したものと同一である。
【００７７】
図９の運転状態１２は、前室がホットガス除霜モードで、後室が加温モードの場合の各バルブ等の制御を示している。また、運転状態１３は、前室および後室がいずれもホットガス除霜モードの場合の各バルブ等の制御を示している。この運転状態１２および１３は、上述した運転状態１１に対し、各バルブの開閉は同一である。また、前室用ファン３３と後室用ファン３４に駆動については、加温モードの室内器３１、３２に対応するファン３３、３４を駆動し、ホットガス除霜モードの室内器３１、３２に対応するファン３３、３４を停止する。
【００７８】
（ホットガス除霜×停止モード）
前室がホットガス除霜モードで、後室が停止モードの場合について説明する。この場合、制御装置２は、図９の運転状態１４に示すように、各バルブの開閉を制御する。図９の運転状態１４に示すバルブの制御は、図８の運転状態７で示した、前室が加温モードで、後室が停止モードの場合の各バルブの制御と同一である。また、制御装置２は、前室がホットガス除霜モードで、後室が停止モードの場合、前室用ファン３３および後室用ファン３４を停止する。なお、その場合、冷媒回路を循環する冷媒の流れは、図７に示したものと同一である。
【００７９】
図９の運転状態１５は、前室が停止モードで、後室がホットガス除霜モードの場合の各バルブ等の制御を示している。この運転状態１５は、上述した運転状態１４に対し、前室と後室のモードが入れ替わっているのみであるので、説明を省略する。
【００８０】
（停止×停止モード）
図９の運転状態１６は、前室および後室がいずれも停止モードの場合の各バルブ等の制御を示している。なお、運転状態１６では、圧縮機１０の駆動が停止しているので、各バルブの開閉は任意である。
【００８１】
次に、輸送用冷凍装置１のオフサイクル除霜モードを含めた作動について説明する。図１０は、輸送用冷凍装置１のオフサイクル除霜モードを含む各モードの基本作動表である。なお、オフサイクル除霜モードとは、熱交換器に冷媒を流すことなく、その熱交換器に対してファンにより送風することで除霜を行うモードである。
【００８２】
（冷凍×オフサイクル除霜モード）
前室が冷凍モードで、後室がオフサイクル除霜モードの場合について説明する。この場合、制御装置２は、図１０の運転状態１７に示すように、各バルブの開閉を制御する。図１０の運転状態１７に示すバルブの制御は、図８の運転状態５で示した、前室が冷凍モードで、後室が停止モードの場合の各バルブの制御と同一である。また、制御装置２は、前室が冷凍モードで、後室がオフサイクル除霜モードの場合、前室用ファン３３および後室用ファン３４を駆動する。なお、その場合、冷媒回路を循環する冷媒の流れは、図６に示したものと同一である。
【００８３】
このように、本実施形態の輸送用冷凍装置１は、室内器３１、３２に対しオフサイクル方式による除霜要求がある場合、その室内器３１、３２に冷媒が流れないようにバルブ等を制御し、その室内器３１、３２に送風するファン３３、３４を駆動することで、室内器３１、３２のオフサイクル除霜を行うことが可能である。
【００８４】
なお、図１０の運転状態１８は、前室がオフサイクル除霜モードで、後室が冷凍モードの場合の各バルブ等の制御を示している。この運転状態１８は、上述した運転状態１７に対し、前室と後室のモードが入れ替わっているのみであるので、説明を省略する。
【００８５】
（加温×オフサイクル除霜モード）
前室が加温モードで、後室がオフサイクル除霜モードの場合について説明する。この場合、制御装置２は、図１０の運転状態１９に示すように、各バルブの開閉を制御する。図１０の運転状態１９に示すバルブの制御は、図８の運転状態７で示した、前室が加温モードで、後室が停止モードの場合の各バルブの制御と同一である。また、制御装置２は、前室が加温モードで、後室がオフサイクル除霜モードの場合、前室用ファン３３および後室用ファン３４を駆動する。なお、その場合、冷媒回路を循環する冷媒の流れは、図７に示したものと同一である。
【００８６】
（オフサイクル除霜×オフサイクル除霜モード、オフサイクル除霜×停止モード、停止×停止モード）
図１０の運転状態２１は、前室および後室がいずれもオフサイクル除霜モードの場合の各バルブ等の制御を示している。運転状態２２は、前室が停止モードで、後室がオフサイクル除霜モードの場合の各バルブ等の制御を示している。運転状態２３は、前室がオフサイクル除霜モードで、後室が停止モードの場合の各バルブ等の制御を示している。運転状態２４は、前室および後室がいずれも停止モードの場合の各バルブ等の制御を示している。運転状態２１〜２４では、圧縮機１０の駆動が停止しているので、各バルブの開閉は任意である。また、制御装置２は、オフサイクル除霜モードを行う室内器３１、３２に対応するファン３３、３４を駆動する。
【００８７】
以上説明した各モードに関し、制御装置２は、前室と後室に対する要求が変わり、運転モードが変移して各バルブの開閉状態が変化する場合、制御装置２が制御する複数のバルブのうち、閉状態から開状態となるバルブを、開状態から閉状態となるバルブよりも先に動作させる。そうすることで、サイクル内に閉回路の部位が生じることを防止し、冷媒圧力が上昇することを抑えることが可能である。
【００８８】
ここで、上述した本実施形態の輸送用冷凍装置１と比較するため、比較例の輸送用冷凍装置１００の冷媒回路について説明する。
【００８９】
比較例の輸送用冷凍装置１００の冷媒回路を図１１に示す。比較例の冷媒回路は、背景技術の欄に記載した特許文献１の輸送用冷凍装置の冷媒回路と実質的に同一である。比較例の冷媒回路では、圧縮機１１０の吐出口１１１側と、複数の熱交換器１２０、１２１、１２２の一端側とがそれぞれ高圧配管１３１、１３２、１３３で接続されている。複数の高圧配管１３１、１３２、１３３は、高圧ガスポート１３４を介して連通している。また、圧縮機１１０の吸入口１１２側と、複数の熱交換器１２０、１２１、１２２の一端側とがそれぞれ低圧配管１３５、１３６、１３７で接続されている。複数の低圧配管１３５、１３６、１３７は、低圧ガスポート１３８を介して連通している。複数の高圧配管１３１、１３２、１３３と複数の低圧配管１３５、１３６、１３７にはそれぞれ冷媒の流れを調整するバルブ１５１〜１５６が設けられている。
【００９０】
そして、複数の熱交換器１２０、１２１、１２２の他端からそれぞれ延びる絞り配管１４１、１４２、１４３が、高圧液ポート１４４を介して連通している。複数の絞り配管１４１、１４２、１４３にはそれぞれ膨張弁１６１、１６２、１６３とバルブ１５７〜１５９が設けられている。また、絞り配管１４１、１４２、１４３には、膨張弁１６１、１６２、１６３とバルブ１５７〜１５９を冷媒が迂回するためのバイパス配管１７１、１７２、１７３が設けられている。そして、そのバイパス配管１７１、１７２、１７３には逆止弁１７４、１７５、１７６が設けられている。なお、複数の熱交換器１２０、１２１、１２２のうち、１つが室外器１２０であり、２つが室内器１２１、１２２である。２つの室内器１２１、１２２のうち、一方の室内器を前室用室内器１２１と呼び、他方の室内器を後室用室内器１２２と呼ぶこととする。
【００９１】
比較例の輸送用冷凍装置１００は、前室の冷却と後室の加温を行う場合、圧縮機１１０→後室に対応する高圧配管１３３→後室用室内器１２２→バイパス配管１７３→高圧液ポート１４４→前室に対応する絞り配管１４２→膨張弁１６２→前室用室内器１２１→低圧配管１３６→圧縮機１１０の順に冷媒が流れるように、各バルブ１５１〜１５９の開閉を制御する。
【００９２】
また、比較例の輸送用冷凍装置１００は、前室と後室の加温を行う場合、圧縮機１１０→前室と後室に対応する複数の高圧配管１３２、１３３→前室用室内器１２１および後室用室内器１２２→バイパス配管１７２、１７３→高圧液ポート１４４→室外器１２０に対応する絞り配管１４１→膨張弁１６１→室外器１２０→低圧配管１３５→圧縮機１１０の順に冷媒が流れるように、各バルブ１５１〜１５９の開閉を制御する。このように、比較例の輸送用冷凍装置１００も、区画された複数の部屋の庫内温度をそれぞれ異なる温度帯で制御することが可能である。
【００９３】
しかしながら、比較例の輸送用冷凍装置１００は、バイパス配管１７１、１７２、１７３、逆止弁１７４、１７５、１７６、膨張弁１６１、１６２、１６３、バルブ１５１〜１５９、それらに関する配管接続部などの部品点数が多いことから、構成が複雑なものとなっている。そのため、比較例の輸送用冷凍装置１００は、製造コストが増加し、且つ、架装性が悪化するおそれがある。
【００９４】
また、比較例の輸送用冷凍装置１００では、複数の部屋の加温を行う場合、室外器１２０を蒸発器（すなわち吸熱器）として使用している。そのため、比較例では、複数の部屋の加温を行う場合、除霜を経て室外器１２０のフィン同士の間に保水された除霜水が再氷結してしまい、複数の部屋の加温が困難になるといった問題がある。
【００９５】
このような比較例の輸送用冷凍装置１００に対し、本実施形態の輸送用冷凍装置１は、次の作用効果を奏するものである。
【００９６】
（１）本実施形態の輸送用冷凍装置１は、比較例の輸送用冷凍装置１００が備えるバイパス配管１７１、１７２、１７３や、そのバイパス配管１７１、１７２、１７３に設けられた逆止弁１７４、１７５、１７６を必要としない。また、本実施形態の輸送用冷凍装置１は、複数の部屋の加温を行う場合を含むいずれの場合にも、室外器２０を蒸発器（すなわち吸熱器）として使用しないので、比較例の輸送用冷凍装置１００が備える室外器１２０に対応して配置された膨張弁１６１を必要としない。そのため、本実施形態の輸送用冷凍装置１は、部品点数の少ない簡素な構成で、区画された複数の部屋の温度を調整することが可能である。したがって、本実施形態の輸送用冷凍装置１は、コストを低減し、且つ、架装性を向上することができる。
【００９７】
（２）本実施形態では、複数の部屋に対して加温要求があり、いずれの部屋にも冷凍要求がない場合、冷媒回路を循環する冷媒は、圧縮機１０→複数の加温回路６０ａ、６０ｂ→複数の室内器３１、３２→複数の第３配管４３ａ、４３ｂ→圧縮機１０の順に流れ、室外器２０に流れない。そのため、複数の部屋の加温を行う場合を含むいずれの場合にも、室外器２０を蒸発器（すなわち吸熱器）として使用しないので、室外器２０にマルチフロータイプを使用した場合でも、フィン同士の間に保水された除霜水が再氷結することを防ぐことができる。そのため、この輸送用冷凍装置１は、室外器２０にフィンの間隔が狭いマルチフロータイプを使用することが可能であるので、室外器２０の体格を小型化すると共に、放熱器としての能力を向上することが可能である。したがって、この輸送用冷凍装置１は、室外器２０の放熱性の向上により、冷凍モードの際の室内器３１、３２の冷凍能力を高めることができる。
【００９８】
（３）本実施形態では、所定の部屋（例えば前室）が冷凍モードで、別の部屋（例えば後室）が加温モードの場合、冷媒回路を循環する冷媒は、圧縮機１０→加温モードの室内器３２に対応する加温回路６０ｂ→加温モードの室内器３２→ヒートポンプ回路７０ｂ→室外器２０→冷凍モードの室内器３１に対応する第２配管４２ａ→冷凍モードの室内器３１→第３配管４３ａ→圧縮機１０の順に流れる。これにより、冷媒回路を循環する冷媒は、加温モードの室内器３２で庫内空気に放熱し、さらに室外器２０でも庫外空気に放熱して凝縮される。その後、冷凍モードの室内器３１に通じる絞り機構８０ａで減圧膨張され、冷凍モードの室内器３１で蒸発して庫内空気から吸熱する。このように、この輸送用冷凍装置１は、複数の部屋の間で熱移動（いわゆる室間でのヒートポンプ）を行うことで、所定の部屋を冷却し、別の部屋を加温することができる。
【００９９】
さらに、この輸送用冷凍装置１は、その室間でのヒートポンプを行う際、室外器２０で放熱するため、凝縮圧力が低下し、絞り機構８０ａ前のエンタルピが低下するので、冷凍モードの室内器３１の冷却能力を高めることができる。なお、所定の部屋の加温能力に比べて別の部屋の冷凍能力が過剰な場合、室外器２０に送風するファン２１を停止すれば、その所定の部屋の加温能力を高めることも可能である。
【０１００】
（４）本実施形態の輸送用冷凍装置１は、室内器３１、３２に対しホットガス方式による除霜要求がある場合、加温要求がある場合と同様に冷媒を流し、室内器３１、３２に送風するファン３３、３４の駆動を停止することで、室内器３１、３２のホットガス除霜を行うことが可能である。
【０１０１】
（５）本実施形態の輸送用冷凍装置１は、室内器３１、３２に対しオフサイクル方式による除霜要求がある場合、その室内器３１、３２に冷媒が流れないようにバルブ９１〜９４等を制御し、その室内器３１、３２に送風するファン３３、３４を駆動することで、室内器３１、３２のオフサイクル除霜を行うことが可能である。
【０１０２】
（６）本実施形態では、輸送用冷凍装置１は、所定の部屋（例えば前室）に対する冷凍要求と別の部屋（例えば後室）に対する加温要求の両方がある場合、加温要求のある部屋の室内器３２と室外器２０の両方を放熱器として使用し、冷凍要求のある部屋の室内器３１を吸熱器として使用する。その際、制御装置２は、冷凍要求のある部屋に対する室内器３１の冷凍能力に対し、加温要求のある部屋に対する室内器３２の加温能力が不足していると判定される場合、室外器２０に送風するファン２１の駆動を停止することで、室外器２０の放熱能力を抑制することが可能である。
【０１０３】
（第２実施形態）
第２実施形態について説明する。第２実施形態は、第１実施形態に対して冷媒回路の構成の一部を変更したものであり、その他については第１実施形態と同様であるため、第１実施形態と異なる部分についてのみ説明する。
【０１０４】
第２実施形態では、加温回路６０は、その途中に分岐部６０ｄを有していない。そのため、加温回路６０は、第１配管４１の途中に設けられた複数の第１接続部５１ａ、５１ｂと、複数の第２配管４２ａ、４２ｂそれぞれの途中に設けられた複数の第２接続部５２ａ、５２ｂとの間をそれぞれ複数の配管６０ａ、６０ｂにより接続している。
【０１０５】
また、ヒートポンプ回路７０は、その途中に分岐部７０ｄを有していない。そのため、ヒートポンプ回路７０は、第１配管４１の途中に設けられた複数の第４接続部５４ａ、５４ｂと、複数の第３配管４３ａ、４３ｂそれぞれの途中に設けられた複数の第３接続部５３ａ、５３ｂとの間をそれぞれ複数の配管７０ａ、７０ｂにより接続している。
【０１０６】
このように、加温回路６０は第１実施形態で説明した分岐部６０ｄを廃することが可能であり、ヒートポンプ回路７０も第１実施形態で説明した分岐部７０ｄを廃することが可能である。なお、図示していないが、第２配管４２においても分岐部４２ｄを廃することが可能であり、第３配管４３においても分岐部４３ｄを廃することが可能である。
【０１０７】
以上説明した第２実施形態も、第１実施形態と同様の作用効果を奏することができる。
【０１０８】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【０１０９】
（１）上記各実施形態では、輸送用冷凍装置１は前室と後室の温度制御を行うものとして説明したが、輸送用冷凍装置１が温度制御を行う部屋の数は２室に限らず、３室以上であってもよい。その場合、部屋の数に応じて室内器３１、３２、第１〜第３配管４１〜４３、加温回路６０、ヒートポンプ回路７０、各バルブ９１〜９５、絞り機構８０などの数を増やすことが可能である。
【０１１０】
（２）上記各実施形態では、絞り機構８０ａ、８０ｂとして、温度式膨張弁を例示したが、これに限らず、絞り機構８０ａ、８０ｂは電子膨張弁を採用してもよい。その場合、電子膨張弁の開弁時の流路径が大きくなるものであれば、絞り機構８０ａ、８０ｂと室内器前バルブ９２ａ、９２ｂとを一体に構成してもよい。
【０１１１】
（３）上記各実施形態では、ヒートポンプバルブ９５ａ、９５ｂを逆止弁により構成したが、これに限らず、ヒートポンプバルブ９５ａ、９５ｂは電磁弁により構成してもよい。
【０１１２】
（まとめ）
上述の実施形態の一部または全部で示された第１の観点によれば、輸送用冷凍装置は、区画された複数の部屋の温度を調整するものである。輸送用冷凍装置は、圧縮機、室外器、複数の室内器、第１〜第３配管、第１〜第４接続部、加温回路、ヒートポンプ回路、絞り機構、吐出側バルブ、室内器前バルブ、吸入側バルブ、加温バルブ、ヒートポンプバルブを備える。圧縮機は、冷媒を圧縮する。室外器は、外気と冷媒との熱交換を行う。複数の室内器は、複数の部屋それぞれの庫内空気と冷媒との熱交換を行う。第１配管は、圧縮機の吐出側と室外器とを接続する。複数の第２配管は、複数の室内器それぞれと室外器とを接続する。複数の第３配管は、複数の室内器それぞれと圧縮機の吸入側とを接続する。１つまたは複数の第１接続部は、第１配管の途中に設けられている。複数の第２接続部は、複数の第２配管それぞれの途中に設けられている。複数の第３接続部は、複数の第３配管それぞれの途中に設けられている。１つまたは複数の第４接続部は、第１配管の途中で第１接続部と室外器との間に設けられている。複数の加温回路は、複数の第２接続部それぞれと第１接続部とを接続する。複数のヒートポンプ回路は、複数の第３接続部それぞれと第４接続部とを接続する。複数の絞り機構は、複数の第２配管それぞれの途中で室外器と第２接続部との間に設けられている。吐出側バルブは、第１配管のうち第１接続部と第４接続部との間の冷媒の流れを調整する。室内器前バルブは、複数の第２配管それぞれの冷媒の流れを調整する。吸入側バルブは、複数の第３配管それぞれの冷媒の流れを調整する。加温バルブは、複数の加温回路それぞれの冷媒の流れを調整する。ヒートポンプバルブは、複数のヒートポンプ回路それぞれの冷媒の流れを調整する。
【０１１３】
第２の観点によれば、輸送用冷凍装置は、複数の部屋に対する温度調整要求に応じて、吐出側バルブ、室内器前バルブ、吸入側バルブおよび加温バルブの駆動を制御する制御装置をさらに備える。ヒートポンプバルブは、複数のヒートポンプ回路それぞれの冷媒の流れを、第３接続部側から第４接続部側への一方向に規制する逆止弁である。
【０１１４】
これによれば、ヒートポンプバルブを逆止弁とすることで、冷媒回路の構成をより簡素なものとすると共に、制御装置が実行する制御処理を簡素なものとすることが可能である。
【０１１５】
第３の観点によれば、制御装置は、所定の部屋に対して冷凍要求があり、別の部屋に対して加温要求がある場合、吐出側バルブ、室内器前バルブ、吸入側バルブおよび加温バルブの駆動を、次のように制御する。すなわち、制御装置は、圧縮機から吐き出された冷媒が、加温要求のある部屋に対応する加温回路と、その部屋の室内器と、ヒートポンプ回路とを経由して室外器へ流れた後、冷凍要求のある部屋に対応する第２配管とその部屋の室内器と第３配管とを経由して圧縮機に流れるように制御する。
【０１１６】
これによれば、冷媒回路を循環する冷媒は、加温要求のある部屋の室内器で庫内空気に放熱し、さらに室外器でも庫外空気に放熱して凝縮される。その後、冷凍要求のある部屋の室内器に通じる絞り機構で減圧膨張され、その部屋の室内器で蒸発して庫内空気から吸熱する。このように、この輸送用冷凍装置は、複数の部屋の間で熱移動（いわゆる室間でのヒートポンプ）を行うことで、所定の部屋を冷却し、別の部屋を加温することができる。
【０１１７】
さらに、この輸送用冷凍装置は、室間でのヒートポンプを行う際、室外器で放熱するため、凝縮圧力が低下し、絞り機構前のエンタルピが低下するので、冷凍要求のある部屋の室内器の冷却能力を高めることができる。なお、所定の部屋の加温能力に比べて別の部屋の冷凍能力が過剰な場合、室外器に送風するファンを停止すれば、その所定の部屋の加温能力を高めることも可能である。
【０１１８】
第４の観点によれば、制御装置は、複数の部屋に対して加温要求があり、いずれの部屋にも冷凍要求がない場合、吐出側バルブ、室内器前バルブ、吸入側バルブおよび加温バルブの駆動を、次のように制御する。すなわち、制御装置は、圧縮機から吐き出された冷媒が、複数の加温回路と、複数の室内器と、複数の第３配管とを経由して圧縮機に流れ、室外器に流れないように制御する。
【０１１９】
これによれば、輸送用冷凍装置は、複数の部屋の加温を行う場合を含むいずれの場合にも、室外器を蒸発器（すなわち吸熱器）として使用しないので、室外器にマルチフロータイプを使用した場合でも、除霜を経てフィン同士の間に保水された除霜水が再氷結することを防ぐことができる。そのため、この輸送用冷凍装置は、室外器にフィンの間隔が狭いマルチフロータイプを使用することが可能であるので、室外器の体格を小型化すると共に、放熱器としての能力を向上することが可能である。したがって、この輸送用冷凍装置は、室外器の放熱性の向上により、冷凍モードの際の室内器の冷凍能力を高めることができる。
【０１２０】
第５の観点によれば、制御装置は、所定の部屋に対して冷凍要求があり、別の部屋に対して加温要求がある場合、吐出側バルブ、室内器前バルブ、吸入側バルブおよび加温バルブの駆動を、次のように制御する。すなわち、制御装置は、圧縮機から吐き出された冷媒が、加温要求のある部屋の室内器に対応する加温回路と、その部屋の室内器と、ヒートポンプ回路とを経由して室外器へ流れた後、冷凍要求のある部屋に対応する第２配管と、その部屋の室内器と、第３配管とを経由して圧縮機に流れるように制御する。
【０１２１】
また、制御装置は、所定の部屋に対して冷凍要求があり、別の部屋に対応する室内器に対してホットガス冷媒による除霜要求がある場合、吐出側バルブ、室内器前バルブ、吸入側バルブおよび加温バルブの駆動を、次のように制御する。すなわち、制御装置は、圧縮機から吐き出された冷媒が、除霜要求のある室内器に対応する加温回路と、その部屋の室内器と、ヒートポンプ回路とを経由して室外器へ流れた後、冷凍要求のある部屋に対応する第２配管と、その部屋の室内器と、第３配管とを経由して圧縮機に流れるように制御する。
【０１２２】
そして、制御装置は、冷凍要求および加温要求がある部屋に対応する室内器に送風するファンを駆動し、ホットガス冷媒による除霜要求のある室内器に送風するファンの駆動を停止する。
【０１２３】
これによれば、室内器に対しホットガス冷媒による除霜要求がある場合、加温要求がある場合と同様に冷媒を流し、室内器に送風するファンの駆動を停止することで、室内器の除霜を行うことが可能である。
【０１２４】
第６の観点によれば、制御装置は、複数の部屋に対して加温要求があり、いずれの部屋にも冷凍要求がない場合、または、複数の部屋に対応する室内器に対してホットガス冷媒による除霜要求があり、いずれの部屋にも冷凍要求がない場合、吐出側バルブ、室内器前バルブ、吸入側バルブおよび加温バルブの駆動を、次のように制御する。すなわち、制御装置は、圧縮機から吐き出された冷媒が、加温要求または除霜要求のある室内器に対応する加温回路と、複数の室内器と、第３配管とを経由して圧縮機に流れ、室外器に流れないように制御する。そして、制御装置は、加温要求がある部屋に対応する室内器に送風するファンを駆動し、ホットガス冷媒による除霜要求のある室内器に送風するファンの駆動を停止する。
【０１２５】
これによれば、室内器に対しホットガス冷媒による除霜要求がある場合、加温要求がある場合と同様に冷媒を流し、室内器に送風するファンの駆動を停止することで、室内器のホットガス除霜を行うことが可能である。
【０１２６】
第７の観点によれば、制御装置は、所定の部屋に対して冷凍要求があり、別の部屋に対して加温要求がある場合、吐出側バルブ、室内器前バルブ、吸入側バルブおよび加温バルブの駆動を、次のように制御する。すなわち、制御装置は、圧縮機から吐き出された冷媒が、加温要求のある部屋の室内器に対応する加温回路と、その部屋の室内器と、ヒートポンプ回路とを経由して室外器へ流れた後、冷凍要求のある部屋に対応する第２配管と、その部屋の室内器と、第３配管とを経由して圧縮機に流れるように制御する。そして、制御装置は、冷凍要求および加温要求がある部屋に対応する室内器に送風するファンを駆動する。
【０１２７】
また、制御装置は、所定の部屋に対して冷凍要求があり、別の部屋に対応する室内器に対しオフサイクル方式による除霜要求がある場合、吐出側バルブ、室内器前バルブ、吸入側バルブおよび加温バルブの駆動を、次のように制御する。すなわち、制御装置は、圧縮機から吐き出された冷媒が、室外器と、冷凍要求のある部屋の室内器に対応する第２配管と、その部屋の室内器と、第３配管とを経由して圧縮機に流れるように制御する。そして、制御装置は、冷凍要求がある部屋に対応する室内器に送風するファンと、オフサイクル方式による除霜要求のある室内器に送風するファンを駆動する。
【０１２８】
これによれば、室内器に対しオフサイクル方式による除霜要求がある場合、その室内器に冷媒が流れないようにバルブ等を制御し、その室内器に送風するファンを駆動することで、室内器のオフサイクル除霜を行うことが可能である。
【０１２９】
第８の観点によれば、制御装置は、複数の部屋に対して加温要求があり、いずれの部屋にも冷凍要求がない場合、吐出側バルブ、室内器前バルブ、吸入側バルブおよび加温バルブの駆動を、次のように制御する。すなわち、制御装置は、圧縮機から吐き出された冷媒が、複数の加温回路と、複数の室内器と、複数の第３配管とを経由して圧縮機に流れ、室外器に流れないように制御する。そして、制御装置は、加温要求がある部屋に対応する室内器に送風するファンを駆動する。
【０１３０】
また、制御装置は、所定の部屋に対して加温要求があり、いずれの部屋にも冷凍要求がなく、別の部屋に対応する室内器に対しオフサイクル方式による除霜要求がある場合、吐出側バルブ、室内器前バルブ、吸入側バルブおよび加温バルブの駆動を、次のように制御する。すなわち、制御装置は、圧縮機から吐き出された冷媒が、加温要求のある部屋の室内器に対応する加温回路と、その部屋の室内器と、第３配管とを経由して圧縮機に流れ、除霜要求がある室内器および室外器に流れないように制御する。そして、制御装置は、加温要求がある部屋に対応する室内器に送風するファンと、オフサイクル方式による除霜要求のある室内器に送風するファンを駆動する。
【０１３１】
これによれば、室内器に対しオフサイクル方式による除霜要求がある場合、その室内器に冷媒が流れないようにバルブ等を制御し、その室内器に送風するファンを駆動することで、室内器のオフサイクル除霜を行うことが可能である。
【０１３２】
第９の観点によれば、制御装置は、所定の部屋と別の部屋に対する要求が変わり、運転モードが変移し各バルブの開閉状態が変化する場合、制御装置が制御する複数のバルブのうち、閉状態から開状態となるバルブを、開状態から閉状態となるバルブよりも先に動作させる。
【０１３３】
これによれば、サイクル内に閉回路の部位が生じることを防止し、冷媒圧力が上昇することを抑えることが可能である。
【０１３４】
第１０の観点によれば、制御装置は、所定の部屋に対する冷凍要求と別の部屋に対する加温要求の両方があり、かつ、冷凍要求のある部屋に対する室内器の冷凍能力に対し、加温要求のある部屋に対する室内器の加温能力が不足していると判定される場合、室外器に送風するファンの駆動を停止する。
【０１３５】
これによれば、輸送用冷凍装置は、所定の部屋に対する冷凍要求と別の部屋に対する加温要求の両方がある場合、加温要求のある部屋の室内器と室外器の両方を放熱器として使用し、冷凍要求のある部屋の室内器を吸熱器として使用する。その際、冷凍要求のある部屋に対する室内器の冷凍能力に対し、加温要求のある部屋に対する室内器の加温能力が不足している場合、室外器に送風するファンの駆動を停止することで、室外器の放熱能力を抑制することが可能である。
【０１３６】
第１１の観点によれば、制御装置は、所定の部屋に対する冷凍要求と別の部屋に対する加温要求の両方があり、かつサイクルの冷媒圧力が所定の値以上になった場合、室外器に送風するファンを駆動する。
【０１３７】
これによれば、室外器のファンが停止している状態でサイクルの冷媒圧力が上昇した場合、室外器用ファンを作動させることでその冷媒圧力を下げることができる。
【０１３８】
第１２の観点によれば、制御装置は、所定の部屋に対する冷凍要求と別の部屋に対する加温要求の両方があり、かつ室外器の入口の冷媒温度が外気温度よりも低い場合、室外器に送風するファンの駆動を停止する。
【０１３９】
これによれば、加温要求のある部屋の温度が低い場合、その加温要求のある部屋の室内器の出口の冷媒温度（すなわち、室外器の入口の冷媒温度)が外気温度より低くなりことがある。その場合、仮に、室外器のファンを駆動すると室外器で冷媒が外気から吸熱してしまうことになり、冷凍要求のある部屋の室内器の能力が低下してしまう。そこで、そのような場合には、室外器のファンの駆動を停止することで、室外器で冷媒が外気から吸熱することを抑制し、冷凍要求のある部屋の室内器の冷凍能力低下を抑制することができる。
【０１４０】
第１３の観点によれば、室外器は、冷媒が流入する入口側タンク、冷媒が流出する出口側タンク、入口側タンクと出口側タンクとを連通する複数のチューブ、および、複数のチューブ同士の間に設けられる複数のフィンを備えるマルチフロータイプの熱交換器である。そして、輸送用冷凍装置は、室外器を蒸発器として用いないように構成されている。
【０１４１】
これによれば、室外器にマルチフロータイプの熱交換器を採用することで、仮にプレートフィンタイプの熱交換器を採用した場合と比較して、室外器の体格を小型化し、重量を軽量化することが可能である。
【０１４２】
なお、一般に、マルチフロータイプの熱交換器は、冬季などに除霜運転で発生した除霜水をフィン同士の間に保水しやすい構造となっている。しかし、この輸送用冷凍装置は、複数の部屋の加温を行う場合を含むいずれの場合にも、室外器を蒸発器（すなわち吸熱器）として用いないので、除霜を経て室外器に保水された除霜水が、フィン同士の間で再氷結することがない。なお、マルチフロータイプは、パラレルフロータイプと呼ばれることもある。
【符号の説明】
【０１４３】
１          輸送用冷凍装置
１０        圧縮機
２０        室外器
３１、３２  室内器
４１        第１配管
４２        第２配管
４３        第３配管
６０        加温回路
７０        ヒートポンプ回路
８０        絞り機構
【図１】
2019203646.tif 000003
【図２】
2019203646.tif 000004
【図３】
2019203646.tif 000005
【図４】
2019203646.tif 000006
【図５】
2019203646.tif 000007
【図６】
2019203646.tif 000008
【図７】
2019203646.tif 000009
【図８】
2019203646.tif 000010
【図９】
2019203646.tif 000011
【図１０】
2019203646.tif 000012
【図１１】
2019203646.tif 000013
【図１２】
2019203646.tif 000014